【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、前記方法は、ユーザ機器（ＵＥ）で実施され、前記方法は、
少なくとも第１の基地局および第２の基地局が無認可スペクトルにおけるチャネルにアクセスするための競合ベースのダウンリンクチャネルアクセスプロシージャを実行する時間期間を識別することと、
前記第１の基地局が前記ダウンリンクチャネルアクセス権を勝ち取ったかあるいは勝ち取る可能性が高いと決定することと、
前記ＵＥが前記無認可スペクトルにおける前記チャネルへのアクセス権を得るのを好むように、前記第１の基地局に関連する前記ユーザ機器（ＵＥ）に関する競合ベースのアップリンクチャネルアクセスプロシージャを修正すること、ここにおいて、前記修正することは、前記決定することに応答して前記ＵＥにおいて最も早い利用可能なクリアチャネルアセスメント（ＣＣＡ）間隔に対してＣＣＡを実行するための時間を調整することを備える、と
を備える、方法。
【請求項２】
前記第１の基地局がチャネルアクセス権を勝ち取ったと前記決定することは、
前記第１の基地局がチャネルアクセス権を勝ち取ったと決定するために前記基地局のチャネル使用状況ビーコン信号（ＣＵＢＳ）をモニタすることを備える、
請求項１に記載の方法。
【請求項３】
前記調整することは、
前記アップリンクチャネルアクセスプロシージャを実行するための最も早い利用可能なＣＣＡ間隔になるように、前記第１のＵＥのＣＣＡ間隔を変更することを備える、
請求項１に記載の方法。
【請求項４】
前記修正することは、
複数の利用可能なクリアチャネルアセスメント（ＣＣＡ）間隔から前記第１の基地局のスケジュールされたＣＣＡ間隔を決定することと、
前記第１の基地局の前記スケジュールされたＣＣＡ間隔に基づいて前記ＵＥのＣＣＡ間隔を設定することと
を備える、請求項１に記載の方法。
【請求項５】
前記第１の基地局および前記第２の基地局が前記ダウンリンクチャネルアクセスプロシージャを実行する前記時間期間は、クリアチャネルアセスメント（ＣＣＡ）間隔を備え、前記第１の基地局と前記第２の基地局の前記ＣＣＡ間隔は重複せず、前記第１の基地局と少なくとも１つの他の基地局の前記ＣＣＡ間隔が重複する、
請求項１に記載の方法。
【請求項６】
前記ＣＣＡ間隔は、利用可能なＣＣＡ間隔からの擬似ランダム選択に基づいて決定され、前記第１の基地局および前記少なくとも１つの他の基地局を備える基地局のグループは同じＣＣＡ間隔を有する、
請求項５に記載の方法。
【請求項７】
請求項１乃至６のうちのいずれかに１項に記載の方法を実行するための命令を備える、コンピュータプログラム。
【請求項８】
ワイヤレス通信のための装置であって、前記装置は、ユーザ機器（ＵＥ）に備えられ、前記装置は、
少なくとも第１の基地局および第２の基地局が無認可スペクトルにおけるチャネルにアクセスするための競合ベースのダウンリンクチャネルアクセスプロシージャを実行する時間期間を識別するための手段と、
前記第１の基地局が前記ダウンリンクチャネルアクセス権を勝ち取ったかあるいは勝ち取る可能性が高いと決定するための手段と、
前記ＵＥが前記無認可スペクトルにおける前記チャネルへのアクセス権を得るのを好むように、前記第１の基地局に関連する前記ユーザ機器（ＵＥ）に関する競合ベースのアップリンクチャネルアクセスプロシージャを修正するための手段、ここにおいて、前記修正するための手段は、前記決定することに応答して前記ＵＥにおいて最も早い利用可能なクリアチャネルアセスメント（ＣＣＡ）間隔に対してＣＣＡを実行するための時間を調整することを備える、と
を備える、装置。
【請求項９】
前記修正するための手段は、前記アップリンクチャネルアクセスプロシージャを実行するための最も早い利用可能なＣＣＡ間隔になるように、前記ＵＥのＣＣＡ間隔を変更する、
請求項８に記載の装置。
【請求項１０】
前記修正するための手段は、複数の利用可能なクリアチャネルアセスメント（ＣＣＡ）間隔から前記第１の基地局のスケジュールされたＣＣＡ間隔を決定し、前記第１の基地局の前記スケジュールされたＣＣＡ間隔に基づいて前記ＵＥのＣＣＡ間隔を設定する、
請求項８に記載の装置。
【請求項１１】
前記第１の基地局および前記第２の基地局が前記ダウンリンクチャネルアクセスプロシージャを実行する前記時間期間は、クリアチャネルアセスメント（ＣＣＡ）間隔を備え、前記第１の基地局と前記第２の基地局の前記ＣＣＡ間隔は、重複せず、前記第１の基地局と少なくとも１つの他の基地局の前記ＣＣＡ間隔が重複する、
請求項８に記載の装置。
【請求項１２】
前記ＣＣＡ間隔は、利用可能なＣＣＡ間隔からの擬似ランダム選択に基づいて決定され、前記第１の基地局および前記少なくとも１つの他の基地局を備える基地局のグループは同じＣＣＡ間隔を有する、
請求項１１に記載の装置。
【手続補正２】
【補正対象書類名】明細書
【補正対象項目名】０１４０
【補正方法】変更
【補正の内容】
【０１４０】
[0143]本開示のこれまでの説明は、当業者が本開示を構成または使用することを可能にするために与えられる。本開示への様々な修正が当業者には容易に明らかであり、本明細書で定義された一般的な原理は、本開示の趣旨または範囲から逸脱することなく他の変形形態に適用され得る。本開示全体にわたって、「例」または「例示的」という用語は、例または事例を示すものであり、述べられた例に対する選好を何ら暗示せず、または要求しない。したがって、本開示は、本明細書で説明された例および設計に限定されるべきでなく、本明細書で開示される原理および新規の特徴に合致する最も広い範囲を与えられるべきである。
以下に、本願の出願当初の特許請求の範囲に記載された発明を付記する。
［Ｃ１］
ワイヤレス通信のための方法であって、
少なくとも第１の基地局および第２の基地局が無認可スペクトルにおけるチャネルにアクセスするための競合ベースのダウンリンクチャネルアクセスプロシージャを実行する時間期間を識別することと、
前記第１の基地局が前記ダウンリンクチャネルアクセス権を勝ち取ったかあるいは勝ち取る可能性が高いと決定することと、
前記第１のＵＥが前記無認可スペクトルにおける前記チャネルへのアクセス権を得るのを好むように、前記第１の基地局に関連する第１のユーザ機器（ＵＥ）に関する競合ベースのアップリンクチャネルアクセスプロシージャを修正することと
を備える、方法。
［Ｃ２］
前記修正することは、
前記決定することに応答して前記第１のＵＥにおいてクリアチャネルアセスメント（ＣＣＡ）を実行するための時間を調整することを備える、
Ｃ１に記載の方法。
［Ｃ３］
前記第１の基地局がチャネルアクセス権を勝ち取ったと前記決定することは、
前記第１の基地局がチャネルアクセス権を勝ち取ったと決定するために前記基地局のチャネル使用状況ビーコン信号（ＣＵＢＳ）をモニタすることを備える、
Ｃ２に記載の方法。
［Ｃ４］
前記調整することは、
前記アップリンクチャネルアクセスプロシージャを実行するための最も早い利用可能なＣＣＡ間隔になるように、前記第１のＵＥのＣＣＡ間隔を変更することを備える、
Ｃ２に記載の方法。
［Ｃ５］
前記第１の基地局がチャネルアクセス権を勝ち取ったと決定することに応答して前記第１のＵＥが前記無認可スペクトルにおける前記チャネルへのアクセス権を得るのを好むように前記第２の基地局に関連する第２のＵＥに関する前記アップリンクチャネルアクセスプロシージャを修正することをさらに備える、
Ｃ４に記載の方法。
［Ｃ６］
前記第２のＵＥのための前記アップリンクチャネルアクセスプロシージャを修正することは、前記第２のＵＥが最も早いＣＣＡ間隔の間に前記アップリンクチャネルアクセスプロシージャを実行するようにスケジュールされるときに前記第１のＵＥのためにスケジュールされたＣＣＡ間隔を前記第２のＵＥに割り当てることを備える、
Ｃ５に記載の方法。
［Ｃ７］
前記修正することは、次式のように前記基地局のグループＩＤに基づいて前記第１のＵＥのＣＣＡ間隔を決定するためのマッピング関数ＦU（ｇｒｏｕｐＩＤ，ｔ）を修正することを備え、
【数８】
2016530843.tif 000001
ここで、ｇA（ｔ）＝前記第１の基地局の前記グループＩＤであり、
ｇB（ｔ）＝前記最も早い利用可能なＣＣＡ間隔においてアップリンクＣＣＡを実行したであろう１つまたは複数のＵＥのグループＩＤである、
Ｃ６に記載の方法。
［Ｃ８］
前記第２のＵＥに関する前記アップリンクチャネルアクセスプロシージャを修正することは、
前記第１のＵＥのスケジュールされたＣＣＡ間隔と前記最も早い利用可能なＣＣＡ間隔との間のＣＣＡ間隔の数を決定することと、
前記第２のＵＥのスケジュールされたＣＣＡ間隔を前記決定された数のＣＣＡ間隔だけシフトすることと
を備える、Ｃ５に記載の方法。
［Ｃ９］
前記修正することは、次式のように前記基地局のグループＩＤに基づいて前記第１のＵＥのＣＣＡ間隔を決定するためのマッピング関数ＦU（ｇｒｏｕｐＩＤ，ｔ）を修正することを備え、
【数９】
2016530843.tif 000002
ここで、ｇA（ｔ）＝前記第１の基地局の前記グループＩＤである、
Ｃ８に記載の方法。
［Ｃ１０］
前記第２のＵＥに関する前記アップリンクチャネルアクセスプロシージャを修正することは、
アップリンクチャネルアクセスを後続のチャネルアクセス期間まで遅延させることを備える、
Ｃ５に記載の方法。
［Ｃ１１］
前記修正することは、
複数の利用可能なクリアチャネルアセスメント（ＣＣＡ）間隔から前記第１の基地局のスケジュールされたＣＣＡ間隔を決定することと、
前記第１の基地局の前記スケジュールされたＣＣＡ間隔に基づいて前記第１のＵＥのＣＣＡ間隔を設定することと
を備える、Ｃ１に記載の方法。
［Ｃ１２］
前記第１の基地局および前記第２の基地局が前記ダウンリンクチャネルアクセスプロシージャを実行する前記時間期間は、クリアチャネルアセスメント（ＣＣＡ）間隔を備え、前記第１の基地局と前記第２の基地局の前記ＣＣＡ間隔は重複せず、前記第１の基地局と少なくとも１つの他の基地局の前記ＣＣＡ間隔が重複する、
Ｃ１に記載の方法。
［Ｃ１３］
前記ＣＣＡ間隔は、利用可能なＣＣＡ間隔からの擬似ランダム選択に基づいて決定され、前記第１の基地局および前記少なくとも１つの他の基地局を備える基地局のグループは同じＣＣＡ間隔を有する、
Ｃ１２に記載の方法。
［Ｃ１４］
前記アップリンクチャネルアクセスプロシージャを修正することは、
基地局の前記グループのうちの前記基地局の１つが前記チャネルへのチャネルアクセス権を勝ち取ったと決定することと、
前記決定することに応答して前記第１のＵＥおよび前記少なくとも１つの他の基地局に関連する少なくとも１つの他のＵＥにおいてＣＣＡを実行するための時間を調整することと
を備える、Ｃ１３に記載の方法。
［Ｃ１５］
前記調整することは、
ＣＣＡ間隔のセットから基地局の前記グループに関連するＵＥのＣＣＡ間隔を選択することを備え、ＣＣＡ間隔の前記セットは、基地局の前記グループの外部の１つまたは複数の基地局に関連する１つまたは複数のＵＥのＣＣＡ間隔よりも早いＣＣＡ間隔を備える、
Ｃ１４に記載の方法。
［Ｃ１６］
ワイヤレス通信のための装置であって、
少なくとも第１の基地局および第２の基地局が無認可スペクトルにおけるチャネルにアクセスするための競合ベースのダウンリンクチャネルアクセスプロシージャを実行する時間期間を識別するための手段と、
前記第１の基地局が前記ダウンリンクチャネルアクセス権を勝ち取ったかあるいは勝ち取る可能性が高いと決定するための手段と、
前記第１のＵＥが前記無認可スペクトルにおける前記チャネルへのアクセス権を得るのを好むように、前記第１の基地局に関連する第１のユーザ機器（ＵＥ）に関する競合ベースのアップリンクチャネルアクセスプロシージャを修正するための手段と
を備える、装置。
［Ｃ１７］
前記修正するための手段は、前記決定することに応答して前記第１のＵＥにおいてクリアチャネルアセスメント（ＣＣＡ）を実行するための時間を調整する、Ｃ１６に記載の装置。
［Ｃ１８］
前記修正するための手段は、前記アップリンクチャネルアクセスプロシージャを実行するための最も早い利用可能なＣＣＡ間隔になるように、前記第１のＵＥのＣＣＡ間隔を変更する、
Ｃ１７に記載の装置。
［Ｃ１９］
前記修正するための手段は、複数の利用可能なクリアチャネルアセスメント（ＣＣＡ）間隔から前記第１の基地局のスケジュールされたＣＣＡ間隔を決定し、前記第１の基地局の前記スケジュールされたＣＣＡ間隔に基づいて前記第１のＵＥのＣＣＡ間隔を設定する、
Ｃ１６に記載の装置。
［Ｃ２０］
前記第１の基地局および前記第２の基地局が前記ダウンリンクチャネルアクセスプロシージャを実行する前記時間期間は、クリアチャネルアセスメント（ＣＣＡ）間隔を備え、前記第１の基地局と前記第２の基地局の前記ＣＣＡ間隔は、重複せず、前記第１の基地局と少なくとも１つの他の基地局の前記ＣＣＡ間隔が重複する、
Ｃ１６に記載の装置。
［Ｃ２１］
前記ＣＣＡ間隔は、利用可能なＣＣＡ間隔からの擬似ランダム選択に基づいて決定され、前記第１の基地局および前記少なくとも１つの他の基地局を備える基地局のグループは同じＣＣＡ間隔を有する、
Ｃ２０に記載の装置。
［Ｃ２２］
前記アップリンクチャネルアクセスプロシージャを前記修正するための手段は、基地局の前記グループのうちの前記基地局の１つが前記チャネルへのチャネルアクセス権を勝ち取ったと決定し、前記決定することに応答して前記第１のＵＥおよび前記少なくとも１つの他の基地局に関連する少なくとも１つの他のＵＥにおいてＣＣＡを実行するための時間を調整する、
Ｃ２１に記載の装置。
［Ｃ２３］
ワイヤレス通信のための装置であって、
プロセッサと、
前記プロセッサに結合されたメモリと
を備え、前記プロセッサは、
少なくとも第１の基地局および第２の基地局が無認可スペクトルにおけるチャネルにアクセスするための競合ベースのダウンリンクチャネルアクセスプロシージャを実行する時間期間を識別することと、
前記第１の基地局が前記ダウンリンクチャネルアクセス権を勝ち取ったかあるいは勝ち取る可能性が高いと決定することと、
前記第１のＵＥが前記無認可スペクトルにおける前記チャネルへのアクセス権を得るのを好むように、前記第１の基地局に関連する第１のユーザ機器（ＵＥ）に関する競合ベースのアップリンクチャネルアクセスプロシージャを修正することと
を行うように構成される、装置。
［Ｃ２４］
前記プロセッサは、前記決定することに応答して前記第１のＵＥにおいてクリアチャネルアセスメント（ＣＣＡ）を実行するための時間を調整することを行うようにさらに構成される、
Ｃ２３に記載の装置。
［Ｃ２５］
前記プロセッサは、前記アップリンクチャネルアクセスプロシージャを実行するための最も早い利用可能なＣＣＡ間隔になるように、前記第１のＵＥのＣＣＡ間隔を変更することを行うようにさらに構成される、
Ｃ２４に記載の装置。
［Ｃ２６］
前記プロセッサは、複数の利用可能なクリアチャネルアセスメント（ＣＣＡ）間隔から前記第１の基地局のスケジュールされたＣＣＡ間隔を決定することと、前記第１の基地局の前記スケジュールされたＣＣＡ間隔に基づいて前記第１のＵＥのＣＣＡ間隔を設定することとを行うようにさらに構成される、
Ｃ２３に記載の装置。
［Ｃ２７］
前記第１の基地局および前記第２の基地局が前記ダウンリンクチャネルアクセスプロシージャを実行する前記時間期間は、クリアチャネルアセスメント（ＣＣＡ）間隔を備え、前記第１の基地局と前記第２の基地局の前記ＣＣＡ間隔は重複せず、前記第１の基地局と少なくとも１つの他の基地局の前記ＣＣＡ間隔が重複する、
Ｃ２３に記載の装置。
［Ｃ２８］
前記ＣＣＡ間隔は、利用可能なＣＣＡ間隔からの擬似ランダム選択に基づいて決定され、前記第１の基地局および前記少なくとも１つの他の基地局を備える基地局のグループは同じＣＣＡ間隔を備える、
Ｃ２７に記載の装置。
［Ｃ２９］
前記プロセッサは、基地局の前記グループのうちの前記基地局の１つが前記チャネルへのチャネルアクセス権を勝ち取ったと決定し、前記決定することに応答して前記第１のＵＥおよび前記少なくとも１つの基地局に関連する少なくとも１つの他のＵＥにおいてＣＣＡを実行するための時間を調整するようにさらに構成される、
Ｃ２８に記載の装置。
［Ｃ３０］
プロセッサによって実行可能な命令を記憶するための非一時的コンピュータ可読媒体であって、
少なくとも第１の基地局および第２の基地局が無認可スペクトルにおけるチャネルにアクセスするための競合ベースのダウンリンクチャネルアクセスプロシージャを実行する時間期間を識別するための命令と、
前記第１の基地局が前記ダウンリンクチャネルアクセス権を勝ち取ったかあるいは勝ち取る可能性が高いと決定するための命令と、
前記第１の基地局に関連する第１のユーザ機器（ＵＥ）に関する競合ベースのアップリンクチャネルアクセスプロシージャを、前記第１のＵＥが前記無認可スペクトルにおける前記チャネルへのアクセス権を得るのを好むように修正するための命令と
を備える、非一時的コンピュータ可読媒体。